(57)【要約】【課題】外面に勾配を備えた擁壁のコーナー部分をフレキシブルに施工できるコーナーブロックを提供する。【解決手段】コーナー部分を施工するためのコンクリートのコーナーブロック５であって、左右に隣接して配置されるコンクリート製の第１の壁体１０および第２の壁体２０と、第１の壁体および第２の壁体の隣接する端部を連結し、第１の壁体および第２の壁体の成す角度が変わるように上下に分散して埋設された複数の接続体３０とを備えたコーナーブロックを提供する。複数の接続体３０は、第１の壁体および第２の壁体の外面１２および２２に対する埋設深さｄ１〜ｄ５が上下で異なる複数の接続体３１〜３５を有する。【選択図】図１
2020139267.tif 000002
【特許請求の範囲】
【請求項１】
コーナー部分を施工するためのコンクリート製品であって、
左右に隣接して配置されるコンクリート製の第１の壁体および第２の壁体と、
前記第１の壁体および前記第２の壁体の隣接する端部を連結し、第１の壁体および第２の壁体の成す角度が変わるように上下に分散して埋設された複数の接続体であって、前記第１の壁体および前記第２の壁体の少なくとも一方の外面に対する埋設深さが上下で異なる複数の接続体とを有するコンクリート製品。
【請求項２】
請求項１において、
前記複数の接続体が、前記第１の壁体および前記第２の壁体の双方の外面に対する埋設深さが上下で異なるように埋設された、コンクリート製品。
【請求項３】
請求項２において、
前記第１の壁体および前記第２の壁体の双方の外面は、上方に向かって内側に傾斜しており、
前記複数の接続体は、上側の接続体の前記埋設深さに対し、下側の接続体の前記埋設深さが大きくなるように埋設されている、コンクリート製品。
【請求項４】
請求項１ないし３のいずれかにおいて、
前記第１の壁体および前記第２の壁体の相互に隣接する端面の一部により構成される外側の溝であって、前記外面に対する深さが上下で異なる外側の溝を、さらに有するコンクリート製品。
【請求項５】
請求項１ないし４のいずれかにおいて、
前記第１の壁体および前記第２の壁体の相互に隣接する端面の一部により構成される内側の溝であって、前記複数の接続体の側を頂点とする断面が略Ｖ字形の内側の溝を、さらに有する、コンクリート製品。
【請求項６】
請求項１ないし５のいずれかにおいて、
前記複数の接続体は、鉄筋である、コンクリート製品。
【請求項７】
請求項１ないし６のいずれかに記載されたコンクリート製品の前記第１の壁体および前記第２の壁体によりコーナー部分を施工する工程を有する、擁壁の施工方法。
【請求項８】
請求項１ないし６のいずれかに記載されたコンクリート製品の前記第１の壁体および前記第２の壁体を含むコーナー部分を有する擁壁。
【請求項９】
コーナー部分の左右に隣接して配置される第１の壁体および第２の壁体を有するコンクリート製品の製造方法であって、
前記第１の壁体および前記第２の壁体の外面を一体で成型する底面を含む型枠に、前記コンクリート製品の上下方向で、前記底面に対する距離が異なるように、前記第１の壁体および前記第２の壁体を連結する複数の接続体を予めセットする工程と、
前記型枠にコンクリートを注入して前記第１の壁体および前記第２の壁体を一体で成型する工程と、
前記型枠から前記コンクリート製品を脱型する際に、前記第１の壁体および前記第２の壁体の境界を分離する工程とを有する製造方法。
【請求項１０】
請求項９において、さらに、
前記型枠の前記底面に、前記境界に沿って、前記上下方向で前記底面からの突出量が異なる第１の補助型枠を配置する工程を有する、製造方法。
【請求項１１】
請求項１０において、さらに、
前記第１の壁体および前記第２の壁体の前記境界に沿って、内側に略Ｖ字形のテーパー面を形成するための第２の補助型枠を、前記第１の補助型枠に対向する位置に配置する工程を有する、製造方法。
【請求項１２】
請求項９ないし１１のいずれかにおいて、さらに、
前記型枠の前記底面は前記コンクリート製品の上側に対し前記コンクリート製品の下側が鉛直方向に低くなるように設置されており、さらに、
前記セットする工程は、前記底面に対する前記複数の接続体の距離を、前記上側に対し前記下側が大きくなるようにセットする工程を含む、製造方法。
【請求項１３】
コーナー部分の左右に隣接して配置される第１の壁体および第２の壁体を有するコンクリート製品を製造するための型枠であって、
前記第１の壁体および前記第２の壁体の外面を一体で成型する底面と、
前記底面の、前記第１の壁体と前記第２の壁体との境界に沿って設けられた、前記コンクリート製品の上下方向で前記底面からの突出量が異なる第１の補助型枠と、
前記境界に沿って、内側に略Ｖ字形のテーパー面を形成するための第２の補助型枠とを有する、型枠。
【請求項１４】
請求項１３において、
前記底面が、前記コンクリート製品の上側に対し前記コンクリート製品の下側が鉛直方向に低くなるように設置される、型枠。
【発明の詳細な説明】
【技術分野】
【０００１】
本発明は、擁壁として用いられるコンクリート製品およびその製造方法に関する。
【背景技術】
【０００２】
特許文献１には、擁壁のコーナー部分を簡単に施工できるコーナーブロックが開示されている。このコーナーブロックは、左右に配置されるコンクリート製の第１の壁体および第２の壁体と、これらの壁体の間に埋設され、コーナーの角度を変えられるように互いの壁体を接続する接続体を有し、第１の壁体および第２の壁体の角度を擁壁のコーナーに合わせて調整することを可能にしている。
【先行技術文献】
【特許文献】
【０００３】
【特許文献１】特開２００７−２４７３８８号公報
【発明の概要】
【発明が解決しようとする課題】
【０００４】
コンクリート製の擁壁には強度を確保するために、外面および／または内面と平行する深さに鉄筋が埋設される。例えば、外面から４０ｍｍ程度の深さに外面側の強度を確保する鉄筋が埋設され、内面から６０ｍｍ程度の深さに内面側の強度を確保する鉄筋が埋設される。したがって、擁壁のコーナーの左右の壁体を接続する接続体も、これらの鉄筋の延長線上で、擁壁の外面と平行に埋設されることが、通常、行われている。このコーナーブロックにおいては、擁壁の外面と、コーナー部分の両側に配置される壁体との回転軸が平行にならざるを得ない。
【課題を解決するための手段】
【０００５】
本発明の態様の１つは、擁壁のコーナー部分を施工するためのコンクリート製品であって、左右に隣接して配置されるコンクリート製の第１の壁体および第２の壁体と、第１の壁体および第２の壁体の隣接する端部同士を連結し、第１の壁体および第２の壁体の成す角度が変わるように上下に分散して埋設された複数の接続体であって、第１の壁体および第２の壁体の少なくとも一方の外面に対する埋設深さが上下で異なる複数の接続体とを有する。
【０００６】
このコンクリート製品においては、擁壁の外面（外壁面）に対する接続体の埋設深さを上下で変えることにより、第１の壁体と第２の壁体との回転軸の傾きを、独立して、フレキシブルに設定できる。例えば、傾斜地に沿って設置される擁壁において、一方の壁体が水平方向に配置され、他方の壁体が斜面に沿って配置されるようなコーナーにおいても、角度を自由に設定できるコンクリート製品を提供できる。
【０００７】
このコンクリート製品の有用な形態の１つは、複数の接続体が、第１の壁体および第２の壁体の双方の外面に対する埋設深さが上下で異なるように埋設されたコンクリート製品である。第１および第２の壁体の外面の傾きに対し、第１および第２の壁体の回転軸の傾きを独立して設定できる。一例は、外面が、上方に向かって内側に傾斜している（下方が外側に突き出るように傾斜している、上方が後退するように傾斜している）第１および第２の壁体において、複数の接続体は、上側の接続体の埋設深さに対し、下側の接続体の埋設深さが大きく（深く）なるように埋設されているコンクリート製品である。このように外面が傾いている壁体を有するコーナー用の擁壁ブロックにおいても、複数の接続体を鉛直方向に配置することができ、垂直な回転軸で第１および第２の壁体を回転し、フレキシブルな角度のコーナー部分を含む擁壁を施工できる。
【０００８】
コンクリート製品は、第１の壁体および第２の壁体の相互に隣接する端面の一部により構成される外側の溝であって、外面に対する深さが上下で異なる外側の溝を、さらに有していてもよい。コーナー部分を施工した後に、モルタルなどにより外側の溝を埋めてもよい。コンクリート製品は、第１の壁体および第２の壁体の相互に隣接する端面の一部により構成される内側の溝であって、複数の接続体の側を頂点とする断面が略Ｖ字形の内側の溝を、さらに有していてもよい。コーナー部分の角度を変えたときに、壁体の隣接する端部が干渉することを防止できる。また、この内側の溝も、コーナー部分を施工した後に、モルタルなどにより埋めてもよい。複数の接続体は、鉄筋であってもよい。
【０００９】
本発明の他の態様の１つは、上記に記載されたコンクリート製品の第１の壁体および第２の壁体によりコーナー部分を施工する工程を有する、擁壁の施工方法である。
【００１０】
本発明のさらに異なる他の態様の１つは、上記に記載されたコンクリート製品の第１の壁体および第２の壁体を含むコーナー部分を有する擁壁である。
【００１１】
本発明の異なる他の形態の１つは、コーナー部分の左右に隣接して配置される第１の壁体および第２の壁体を有するコンクリート製品の製造方法である。この製造方法は、第１の壁体および第２の壁体の外面を一体で成型する底面を含む型枠に、コンクリート製品の上下方向で、底面に対する距離が異なるように、第１の壁体および第２の壁体を連結する複数の接続体を予めセットする工程と、型枠にコンクリートを注入して第１の壁体および第２の壁体を一体で成型する工程と、型枠からコンクリート製品を脱型する際に、第１の壁体および第２の壁体の境界を分離する工程とを有する。
【００１２】
このコンクリート製品の製造方法では、第１の壁体および第２の壁体を一体に成形することができるとともに、第１の壁体および第２の壁体の外面に対して、複数の接続体の埋設深さが異なるコンクリート製品を製造できる。
【００１３】
型枠の底面に、境界に沿って、上下方向で底面からの突出量が異なる第１の補助型枠を配置する工程を有していてもよい。第１の壁体および第２の壁体の境界に沿って、内側に略Ｖ字形のテーパー面を形成するための第２の補助型枠を、第１の補助型枠に対向する位置に配置する工程を有していてもよい。型枠の底面はコンクリート製品の上側に対しコンクリート製品の下側が鉛直方向に低くなるように設置されており、さらに、製造方法をセットする工程は、底面に対する複数の接続体の距離を、上側に対し下側が大きくなるようにセットする工程を含んでもよい。
【００１４】
本発明のさらに異なる他の形態の１つは、コーナー部分の左右に隣接して配置される第１の壁体および第２の壁体を有するコンクリート製品を製造するための型枠である。この型枠は、第１の壁体および第２の壁体の外面を一体で成型する底面と、底面の第１の壁体と第２の壁体との境界に沿って設けられた、コンクリート製品の上下方向で底面からの突出量が異なる第１の補助型枠と、境界に沿って内側にテーパー面を形成するための第２の補助型枠とを有する。型枠は、底面が、前記コンクリート製品の上側に対しコンクリート製品の下側が鉛直方向に低くなるように設置されるものであってもよい。
【図面の簡単な説明】
【００１５】
【図１】擁壁のコーナー部分を外側から見た斜視図。
【図２】コーナーブロックを内側（背後）から見た斜視図。
【図３】コーナーブロックの第１の壁体をコーナーの方向（ＩＩＩ−ＩＩＩ）から見た壁体の側面図。
【図４】コーナーブロックの第１の壁体のＩＶ−ＩＶ断面図。
【図５】コーナーブロックを用いた擁壁のコーナー部分を施工する様子を示し、図５（ａ）は１１０度のコーナーを備えた擁壁を施工する様子を示し、図５（ｂ）は９０度のコーナーを備えた擁壁を施工する様子を示し、図５（ｃ）は７０度のコーナーを備えた擁壁を施工する様子を示す図である。
【図６】コーナーブロックを製造するために型枠を示す斜視図。
【図７】型枠の断面図（ＶＩＩ−ＶＩＩ断面）。
【図８】型枠に接続体を配置しコンクリートを注入した状態を示す断面図。
【図９】型枠に接続体を配置しコンクリートを注入した状態を他の方向（ＩＸ−ＩＸ断面）から示す断面図。
【図１０】コーナーブロックを釣り上げて、第１の壁体および第２の壁体を分離した状態を示す断面図。
【図１１】コーナーブロックの異なる例を示す図である。
【図１２】コーナーブロックのさらに異なる例を示す図である。
【発明を実施するための形態】
【００１６】
図１および図２に、コンクリート製品の一例を示している。このコンクリート製品は、コンクリート製の擁壁１のコーナー部分２を施工するためのコーナーブロック５であり、コンクリート製の第１の壁体１０と、第１の壁体１０の左または右に隣接して配置されるコンクリート製の第２の壁体２０と、第１の壁体１０および第２の壁体２０の隣接する端部１１および２１同士を連結する複数の接続体３０とを有する。本例のコーナーブロック５は、上下に分散して埋設された５本の接続体３１〜３５を有する。図１は、コーナー部分２を外側（前方、正面）８から見た斜視図である。図２は、コーナー部分２を内側（後方、背面）７から見た斜視図であり、外側８から見てコーナー３の左側に第１の壁体１０が配置され、右側に第２の壁体２０が配置されている。第１の壁体１０と第２の壁体２０とは、接続体３０により連結された状態で所定の角度θをなすように設置され、擁壁１のコーナー部分２が施工される。
【００１７】
第１の壁体１０および第２の壁体２０の双方の外面（外壁面）１２および２２は、上方に向かって内側に傾斜しており、すなわち、上側に対して下側が外側８に広がり、上側に後退した斜度（勾配）９が設けられている。したがって、このコーナーブロック（コンクリート製品）５を用いることにより、コーナー部分２を含めて、擁壁１を全体として、外側８から見たときに圧迫感が少なく、安定感に優れた印象を与える擁壁１として施工し、提供できる。
【００１８】
複数の接続体３０は、第１の壁体１０および第２の壁体２０の双方の外面１２および２２に対する埋設深さｄ１〜ｄ５が上下で異なるように埋設されている。具体的には、上側の接続体３１の埋設深さｄ１に対し、下側の接続体３５の埋設深さｄ５が大きく（深く）なるように埋設されている。接続体３１〜３５の埋設深さｄ１〜ｄ５は、第１の壁体１０および第２の壁体２０の相互に隣接する端面１３および２３の外側の一部により構成される外側の溝３９の外面１２および２２に対する深さ（幅）として表れ、深さｄ１〜ｄ５が上下で異なる。すなわち、外側の溝３９の上側の幅（深さ）Ｗ１に対して下側の幅（深さ）Ｗ２が広く（深く）なる。
【００１９】
接続体３０（３１〜３５）は、第１の壁体１０および第２の壁体２０を、コーナー部分２を施工する際に、壁体１０および２０を相互に旋回できる程度に変形が可能であり（可塑性があり、柔軟性があり）、一方、基礎などの施工中に相互の位置が容易には変動しない程度に十分な強度を備えたものであることが望ましい。接続体３０の典型的なものは、適当な太さ、例えば、直径が１０〜１５ｍｍ程度の鉄筋である。
【００２０】
壁体１０および２０の外面１２および２２の下端が外側８に突き出て、下側が広がり、上側が内側７へ後退するような勾配９は、１〜５％程度であってもよく、２〜４％程度であってもよく、典型的な勾配９は３％である。接続体３１〜３５の埋設深さｄ１〜ｄ５は、勾配９を相殺するように下側が大きく設定されている。このコーナーブロック５においては、外面１２および２２が勾配９に対して、接続体３１〜３５の埋設深さｄ１〜ｄ５を上下で変えることにより、これら上下に繋いだ、壁体１０および２０の回転軸５１の角度を独立して設定できる。したがって、このコーナーブロック５においては、外面１２および２２が勾配９を備えていても、接続体３１〜３５を上下に繋いだ回転軸５１を、勾配９を相殺した鉛直方向（垂直方向）に設定することができ、壁体１０および２０を水平な面に対して回転することができる。このため、擁壁１の水平な基礎（基礎コンクリート、不図示）に対して壁体１０および２０を回転して所望の角度θでそれらが交差したコーナー部分２を簡単に施工できる。
【００２１】
本例のコーナーブロック５においては、壁体１０および２０の内側７の面（内面）１４および２４は、垂直な面となり勾配は設けられていない。これらの面１４および２４が、外面１２および２２と同様に、上側が後退した（上側が外側８に傾き、下側が内側７に突き出た）勾配を備えていてもよい。コーナーブロック５は、第１の壁体１０および第２の壁体２０の相互に隣接する端面１３および２３の内側の一部１３ｂおよび２３ｂにより構成される内側の溝３８を含む。この溝３８は、複数の接続体３０の側を頂点とする断面が略Ｖ字形となっており、壁体１０および２０を、複数の接続体３０を中心として回転（旋回）させたときに、壁体１０および２０の隣接する端面１３および２３が干渉しないようになっている。
【００２２】
図３に、コーナーブロック５の第１の壁体１０をコーナー部分２の側の面（端面）１３から見た様子を示している。図４に、第１の壁体１０の端部１１の断面を示している。壁体１０の一例は、高さ２ｍ、上端１５の幅が２００ｍｍ、下端面１６の幅が２６０ｍｍで、外面１２の勾配９が３％である。外面１２側の補強用の鉄筋５５は、外面１２と平行に４０ｍｍ程度の深さに埋設され、内面１４側の補強用の鉄筋５６は、内面１４と平行に１００ｍｍ程度の深さに埋設されている。一方、複数の接続体３０の内、最も上方の接続体３１は、外面１２から４０ｍｍ程度の位置（深さ）ｄ１に埋設され、最も下方の接続体３５は、外面１２から１００ｍｍ程度の位置（深さ）ｄ５に埋設され、それらの間に位置する接続体３２〜３４は、接続体３１と３５とを結んだ回転軸５１の沿った位置（深さ）ｄ２〜ｄ４に埋設されている。したがって、壁体１０の外面１２は、勾配９で傾いているが、壁体１０および２０を連結する接続体３１〜３５を結んだ回転軸５１はほぼ鉛直に伸び（延び）、壁体１０および２０を、鉛直方向に延びた回転軸５１を中心に回転させることができる。このため、コーナーブロック５の壁体１０および２０を水平な基礎の上に設置し、接続体３０でそれらが連結された状態で現場に合致する角度で配置することにより、現場に即した角度で交差するコーナー部分２を含む擁壁１を施工できる。
【００２３】
なお、壁体１０の高さ、上端面１５および下端面１６のサイズ（幅）は一例であり、壁体１０の高さに対する強度および土圧等に対する耐力などを考慮して決定され、一般的に上端面１５の幅の方が、下端面１６の幅より狭く、それにより外面１２および内面１４の勾配が決定される。他方の壁体２０においても同様である。また、内面１４の勾配は０％であってもよく、外面１２の勾配９よりも小さくてもよく、大きくてもよく、下端面１６に対する上端面１５の設計に依存して決定されてもよい。
【００２４】
コーナーブロック５は、さらに、第１の壁体１０および第２の壁体２０の下側に、壁体１０および２０からそれぞれ内側７に向かって延びるように設けられた基礎部４０を含む。それぞれの壁体１０および２０と、基礎部４０とはＬ字形を形成するように構成されており、全体としてＬ字形の擁壁（Ｌ型擁壁）を施工するために適したブロックとなっている。本例のコーナーブロック５の基礎部４０は、具体的には、壁体１０および２０の内側７の下端縁から水平方向に延びた（突き出た）複数の鉄筋４２を含む。擁壁１の重要な機能は、内側７の土圧に対抗することであり、そのために水平方向に十分な長さの基礎を設ける必要がある。その一方、コーナー部２においては、壁体１０および２０のなす角度θによっては、それぞれの壁体１０および２０から延びた基礎が干渉する可能性がある。
【００２５】
図５に壁体１０および２０により異なる角度θのコーナー部２を施工した状態を示している。図５（ａ）は角度θが１１０度、図５（ｂ）は角度θが９０度、図５（ｃ）は角度θが７０度を示している。現場でコーナー部分２を施工する際は、破線で示すように、それぞれに壁体１０および２０から延びた鉄筋４２が重なる領域も含めてコンクリートを打設して基礎４５を施工することにより、角度θに関わらず所定の耐力を備えた擁壁１を施工できる。
【００２６】
また、壁体１０および２０の隣接する端面１３および２３の外側の部分１３ａおよび２３ａで構成される外側の溝３９は、施工後にモルタル４９などにより埋められてもよい。同様に、壁体１０および２０の隣接する端面１３および２３の内側の部分１３ｂおよび２３ｂで構成される内側の溝３８は、施工後にモルタル４９などにより埋められてもよい。上述したように、外側の溝３９は、下側の幅（深さ）Ｗ２に対して上側の幅（深さ）Ｗ１が小さい（浅い）。したがって、溝３９を埋めるモルタル４９の深さは下側が大きく、上側が小さくなり、三角柱または三角錐のような形状となるので、安定し、剥がれにくい。
【００２７】
また、第１の壁体１０の端面１３と、第２の壁体２０の端面２３との間に、接続体３０が露出して、変形する空間を確保するために隙間３７が設けられていてもよく、モルタル４９が流し込まれることにより隙間３７を含めて埋められてもよい。隙間３７の幅は、５〜２５ｍｍ程度、さらには１０〜１５ｍｍ程度であってもよい。
【００２８】
なお、ここに示したコーナーブロック５の基礎部４０の構成は一例であり、壁体１０および２０からコンクリート製の基礎となる底板部が設けられ、その先に基礎用の鉄筋４２が突き出ていてもよい。さらに、コーナー部２として想定される最少角度θで、相互に干渉しない範囲で予めコンクリートで成形された基礎がプレハブされており、鉄筋が突き出ていないタイプの基礎を備えているものであってもよい。
【００２９】
図６および図７に、コーナーブロック５を製造するための型枠の一例を示している。この型枠６０は、全体が方形で、第１の壁体１０および第２の壁体２０の外面１２および２２を一体で成型するように勾配９を有する底面６２と、底面６２の、第１の壁体１０と第２の壁体２０との外側の境界、すなわち、外側の溝３９に対応する位置に沿って設けられた突出部（第１の補助型枠）６５と、外側の溝３９と反対側に、壁体１０および２０の境界に沿って内側に略Ｖ字形のテーパー面を備えた内側の溝３８を形成するための第２の補助型枠６６とを含む。型枠６０の底面６２を囲う側板６１の高さ（幅）は、勾配９に対応してコーナーブロック５の所定の厚みが確保されるように設けられ、上側の側板６３は上端面１５の幅を、また、下側の側板６４は下端面１６の幅を確保できるように設けられている。第１の補助型枠６５は、コンクリート製品となるコーナーブロック５の上下方向で、底面６２からの突出量が異なり、底面６２の勾配９をキャンセルする量だけ底面６２から突き出ている。さらに、型枠６０は、底面６２を、コンクリート製品の上側に対しコンクリート製品の下側が鉛直方向に低くなるように設置する台（フレーム）６９を含む。フレーム６９により、型枠６０は底面６２が勾配９で傾き、側板６１の上辺が水平になるように設置される。
【００３０】
この型枠６０を用いてコーナーブロック５を製造する際は、図７に示すように、第１の補助型枠６５に沿って、コーナーブロック５の上下方向で、底面６２に対する距離（埋設深さ）ｄ１〜ｄ５が異なるように、接続体３０（３１〜３５）を予めセットする。この工程の前に、製造するコーナーブロック５の外面の勾配９に合わせて、型枠６０の底面６２に、境界となる外側の溝３９に沿って、上下方向で底面６２からの突出量が異なる第１の補助型枠６５を配置する工程を有していてもよい。また、型枠６０の底面６２は、フレーム６９により、コーナーブロック５の上側（上側の側板６３の側）に対し下側（下側の側板６４の側）が鉛直方向に低くなるように設置されており、接続体３０は、底面６２に対する複数の接続体３１〜３５の距離ｄ１〜ｄ５を、上側に対し下側が大きくなるようにセットされる。
【００３１】
さらに、第１の壁体１０および第２の壁体２０の境界に沿って、内側に、溝３８となる略Ｖ字形のテーパー面を形成するための第２の補助型枠６６を、第１の補助型枠６５に対向する位置に配置する。これにより、複数の接続体３０となる鉄筋が第１の補助型枠６５と第２の補助型枠６６との間に挟まれた状態で設定される。さらに、型枠６０の内部には、図４で説明した補強用の鉄筋５５および５６が配置され、接続体３０とともにコーナーブロック５に埋設されるが、それらの鉄筋５５および５６についての図示および説明は省略する。また、基礎４０の鉄筋４２も同時に埋設されるが、これらについても図示および説明を省略する。
【００３２】
次に、図８に示すように、型枠６０にコンクリート７０を注入して第１の壁体１０および第２の壁体２０を含むコーナーブロック５を一体で成型する。このコーナーブロック５においては、壁体１０および２０の境界に沿って、外面１２および２２から異なる深さで接続体３０（３１〜３５）が埋設されており、境界に沿って外側に補助型枠６５により溝３９が形成され、内側に第２の補助型枠６６により溝３８が形成される。
【００３３】
その後、図９に示すように、第２の補助型枠６６を取り外し、図１０に示すように、型枠６０からコーナーブロック５を脱型する。この際に、第１の壁体１０および第２の壁体２０にそれぞれ仮設されているフック（吊り具）８５を用いて吊り上げることにより、壁体１０および２０の境界を分離することができる。すなわち、第１の壁体１０および第２の壁体２０の境界には、第１の補助型枠６５により外側の溝３９となる凹みが形成されており、第２の補助型枠６６によりテーパー状の内側の溝３８も形成されている。型枠６０により壁体１０および２０を成形する際に、それらの境界には、外側および内側に溝３９および３８が形成されているので、壁体１０および２０のそれぞれを吊り具８５を介して吊り上げると、壁体１０および２０の境界に応力が集中してコーナーブロック５は境界で分断あるいは破断され、接続体３０が表れる。脱型する際に、ロープ８６などにより第１の壁体１０および第２の壁体２０を中心方向に吊り上げることにより、第１の壁体１０および第２の壁体２０に折れ曲がる力が加わり、第１の壁体１０および第２の壁体２０の自重も作用することにより、それらの境界には応力が集中して、第１の壁体１０および第２の壁体２０の境界は自発的に割れるか、または弱い力を加えることにより簡単に破断できる。
【００３４】
脱型後は、第１の壁体１０および第２の壁体２０を一直線ではなく、接続体３０で連結された境界で折り曲げることができるので、それぞれの壁体１０および２０の下端面１６を下にして立てて保管することができ、安全である。
【００３５】
図１１に、異なるコーナーブロック５の例を示している。本例の第１のブロック１０および第２のブロック２０の基礎部４０は、本体１２および２２の内側７の下側に、短く突き出た底板部４１が設けられており、その内側７に、２段に延びた（突き出た）複数の鉄筋４２を含む。鉄筋４２は、上述した例のように１段であってもよく、強度あるいは施工現場に即して３段以上であってもよい。
【００３６】
図１２に、さらに異なるコーナーブロック５の例を示している。本例の第１のブロック１０および第２のブロック２０の基礎部４０は、本体１２および２２の内側７の下側にプレハブされた底板部４１を含む。底板部４１は、第１の壁体１１および第２の壁体２１がなす角度θが可変でも干渉しない形状にプレハブされており、一例は、図示したような三角形、またはそれに近い形状である。基礎部４０の構成はこれらに限定されず、第１の壁体１１および第２の壁体２１をそれぞれ十分な強度で支持できるものであればよく、底板部４１の中心に開口があってもよく、リブなどの他の構成を介して底板部４１と各壁体１１および２１が接続されていてもよい。
【００３７】
以上に説明したように、コーナーブロック５は、第１の壁体１０および第２の壁体２０を接続する複数の接続用鉄筋３０（３１〜３５）が、壁体１０および２０の外面１２および２２に対し、上下で異なる深さｄ１〜ｄ５で埋設されている。このため、勾配９を有する外面１２および２２を備えたコーナーブロック５であっても、設置（基礎面）に対して鉛直方向（垂直方向）に、接続用鉄筋３１〜３５が配置され、壁体１０および２０を鉛直方向に延びた軸５１の周りに回転させることができる。したがって、擁壁１を設置する現場のコーナー部分の角度が９０度あるいはそれ以外の角度であっても、本例のコーナーブロック５を使用することにより、外面１２および２２が傾斜した擁壁１であって、施工現場のコーナーの角度にフィットしたコーナー部分２を備えた擁壁１を施工し、提供できる。
【００３８】
なお、上記においては、壁体１０および２０の内面１４および２４が垂直なコーナーブロック５を例に説明しているが、内面１４および２４は、外面１２および２２と同様の勾配または異なる角度の勾配をそなえていてもよい。また、第１の壁体１０および第２の壁体２０の基礎部４０の構成は、上記に限定しないことは上述した通りである。また、第１の壁体１０および第２の壁体２０は、上端面１５に、ガードレール基礎や塀の基礎などの、さらに異なる機能を付加する構成を含んでいてもよい。また、上記では、第１の壁体１０および第２の壁体２０が対称な構成を備えているコーナーブロック５を例に説明しているが、複数の接続体３０の埋設深さは、第１の壁体１０の外面１２に対する深さと、第２の壁体２０の外面２２に対する深さとが異なっていてもよい。例えば、傾斜地に設置される擁壁であって、コーナーの左右で、水平面に対して基礎の傾きが異なるような現場であっても、その基礎の傾きに対応しつつ、コーナーの角度に現場であわせてコーナー部分２を施工できるコーナーブロックを提供できる。
【符号の説明】
【００３９】
１  擁壁、  ５  コーナーブロック、１０  第１の壁体、  ２０  第２の壁体
【図１】
2020139267.tif 000003
【図２】
2020139267.tif 000004
【図３】
2020139267.tif 000005
【図４】
2020139267.tif 000006
【図５】
2020139267.tif 000007
【図６】
2020139267.tif 000008
【図７】
2020139267.tif 000009
【図８】
2020139267.tif 000010
【図９】
2020139267.tif 000011
【図１０】
2020139267.tif 000012
【図１１】
2020139267.tif 000013
【図１２】
2020139267.tif 000014